(57)【要約】【課題】  予めプログラムの必要がなく、曲に同期させて、曲の音の帯域別に設けた発光素子をコントロールすることができるようにする。【解決手段】  被処理信号としての音楽信号を入力させ、所望の数の帯域チャンネルに分割して複数の分割信号とするフィルタ装置と、前記分割信号のうちの所定の周波数よりも低い周波数の帯域チャンネルにおける前記分割信号から、その分割信号のレベル変化から同時駆動信号を形成する波形形成回路と、前記各分割信号に基づく個別駆動信号によって個別に駆動されると共に前記同時駆動信号によって同時に駆動される、複数の発光素子と、を備え、前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成される。【選択図】  図１
2007086365.tif 000002
【特許請求の範囲】
【請求項１】
被処理信号としての音楽信号を入力させ、所望の数の帯域チャンネルに分割して複数の分割信号とするフィルタ装置と、
前記分割信号のうちの所定の周波数よりも低い周波数の帯域チャンネルにおける前記分割信号から、その分割信号のレベル変化から同時駆動信号を形成する波形形成回路と、
前記各分割信号に基づく個別駆動信号によって個別に駆動されると共に前記同時駆動信号によって同時に駆動される、複数の発光素子と、
を備え、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成される、
ことを特徴とする、イルミネーション装置。
【請求項２】
被処理信号としての音楽信号を入力させ、所望の数の帯域チャンネルに分割して、複数の発光素子を個別に駆動するための個別駆動信号を形成するための、フィルタ装置と、
前記分割信号のうちの所定の周波数よりも低い周波数の帯域チャンネルにおける前記分割信号から、その分割信号のレベル変化から、前記複数の発光素子を同時に駆動するための同時駆動信号を形成する波形形成回路と、
を備え、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成される、
ことを特徴とする、イルミネーション装置用駆動回路。
【請求項３】
フィルタ装置に、被処理信号としての音楽信号を入力させ、所望の数の帯域チャンネルに分割して複数の分割信号となし、
波形形成回路によって、前記分割信号のうちの所定の周波数よりも低い周波数の帯域チャンネルにおける前記分割信号から、その分割信号のレベル変化から同時駆動信号を形成し、
複数の発光素子を、前記各分割信号に基づく個別駆動信号によって個別に駆動すると共に前記同時駆動信号によって同時に駆動する、
イルミネーション方法であって、
前記フィルタ装置によって、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成する、
ことを特徴とする、イルミネーション方法。
【請求項４】
フィルタ装置に、被処理信号としての音楽信号を入力させ、所望の数の帯域チャンネルに分割して、複数の発光素子を個別に駆動するための個別駆動信号を形成し、
波形形成回路によって、前記分割信号のうちの所定の周波数よりも低い周波数の帯域チャンネルにおける前記分割信号から、その分割信号のレベル変化から、前記複数の発光素子を同時に駆動するための同時駆動信号を形成する、
イルミネーション装置駆動方法であって、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成する、
ことを特徴とする、イルミネーション装置駆動方法。
【発明の詳細な説明】
【技術分野】
【０００１】
本発明は、イルミネーション装置及びその駆動回路並びにイルミネーション方法及びイルミネーション装置駆動方法に関し、例えば、遊技機、カラオケ、音響機器等におけるスピーカとの関係で用いて好適なイルミネーション装置及びその駆動回路並びにイルミネーション方法及びイルミネーション装置駆動方法に関する。
【背景技術】
【０００２】
各種の遊戯機においては、遊戯（ゲーム）の場面やその進行状況に応じて、その場面に対応させて音（効果音）や光で効果付けするイルミネーション装置を有するものがある。更に、遊戯機の中には、効果音だけでなく、音楽も使われるようになってきた。つまり、遊戯との関係で音楽を流したり、光を点滅強弱させたり、さらにはそれらを組み合わせて、音楽に合わせて光を点滅強弱させるようにするものもある。図１７は、このような音楽と光を使用する装置の一例を示すものである。この図１７の装置は、スピーカ１５と発光装置（複数のＬＥＤ等を用いたもの）１７を備える遊戯機の音と光を制御する装置である。この装置は、マイコン１１を備え、このマイコン１１でＲＯＭなどの音源１２と光インターフェース１６とをコントロールする。即ち、音源１２には少なくとも１つの曲（音楽）がデータとして格納されている。予め、この曲の特徴、例えば、低音のビートの繰り返し周期を分析して、その分析結果に基づいて、発光装置１７を点滅強弱、つまり、放射状態の制御をする光制御データを、マイコン１１内に格納してある。マイコン１１で音源１２の音楽をスタートさせ、これと同期させて前記光制御データを光インターフェース１６に伝える。これにより、音について着目すれば、音源１２から音のデータはアナログ信号として出力されて、手動等によりゲインコントロールする音量調節回路１３、スピーカ駆動用の電力を得るための電力増幅回路１４を介してスピーカ１５に伝えられる。これにより、スピーカから音楽が流れる。これと同時に、光インターフェース１６からの光制御信号が発光装置１７に伝えられ、発光装置１７の例えば複数のＬＥＤ等が点滅したり、光量を強弱制御する。而して、この発光装置１７の光の動作は、スピーカ１５から出る音と、例えば音楽のビートに、同期したものとなる。
【発明の開示】
【発明が解決しようとする課題】
【０００３】
上述の図１７の装置によれば、各種の遊戯機において、ある程度音楽（曲）との関係で光の点滅強弱を行うことができるものの、予め、曲毎に分析をして、音楽における低音のビートと同期させて発光装置を動作させることができるようにしておく必要がある。しかしながら、各曲について予めこのような分析を行うのは著しく煩雑で時間を要する。例えば、音楽のビートに合わせて光の点滅明暗を行おうとすると、曲の全てのビート部分の時間を計り、その時間との関係で光の点滅明暗を行わせるポイントをプログラムしなければならない。そして、音楽のスタートと同期して、前記プログラムのデータをスタートさせる。しかしながら、本当の意味での音楽の状態に合わせた光の制御は困難である。例えば、テンポが１分間に１００のペースの曲が４分だとすると、４００箇所時間を計り、マイコンにプログラムする。これが１００曲等と多くなったときには、４万箇所となり、プログラムに要する時間が多大なものとなり、且つ、データ量が膨大となり、実際上実現困難である。また、未分析の新たな曲を使用したいと思っても、直ちに上記のような遊戯機に使用することはできない。而して、準備に時間を要することは、流行性があり、すばやく設置、使用しなければならない遊戯機においては極力避けたいことである。
【０００４】
本発明は、このような点に鑑みてなされたもので、その目的は、予めプログラムの必要がなく、その曲に同期させて発光装置をコントロールすることができる遊戯機を提供することにある。
【課題を解決するための手段】
【０００５】
本発明のイルミネーション装置は、
被処理信号としての音楽信号を入力させ、所望の数の帯域チャンネルに分割して複数の分割信号とするフィルタ装置と、
前記分割信号のうちの所定の周波数よりも低い周波数の帯域チャンネルにおける前記分割信号から、その分割信号のレベル変化から同時駆動信号を形成する波形形成回路と、
前記各分割信号に基づく個別駆動信号によって個別に駆動されると共に前記同時駆動信号によって同時に駆動される、複数の発光素子と、
を備え、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成される、
ことを特徴とするものとして構成される。
【０００６】
さらに、本発明のイルミネーション装置用駆動回路は、
被処理信号としての音楽信号を入力させ、所望の数の帯域チャンネルに分割して、複数の発光素子を個別に駆動するための個別駆動信号を形成するための、フィルタ装置と、
前記分割信号のうちの所定の周波数よりも低い周波数の帯域チャンネルにおける前記分割信号から、その分割信号のレベル変化から、前記複数の発光素子を同時に駆動するための同時駆動信号を形成する波形形成回路と、
を備え、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成される、
ことを特徴とするものとして構成される。
【０００７】
本発明のイルミネーション方法は、
フィルタ装置に、被処理信号としての音楽信号を入力させ、所望の数の帯域チャンネルに分割して複数の分割信号となし、
波形形成回路によって、前記分割信号のうちの所定の周波数よりも低い周波数の帯域チャンネルにおける前記分割信号から、その分割信号のレベル変化から同時駆動信号を形成し、
複数の発光素子を、前記各分割信号に基づく個別駆動信号によって個別に駆動すると共に前記同時駆動信号によって同時に駆動する、
イルミネーション方法であって、
前記フィルタ装置によって、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成する、
ものとして構成されている。
【０００８】
本発明のイルミネーション装置駆動方法は、
フィルタ装置に、被処理信号としての音楽信号を入力させ、所望の数の帯域チャンネルに分割して、複数の発光素子を個別に駆動するための個別駆動信号を形成し、
波形形成回路によって、前記分割信号のうちの所定の周波数よりも低い周波数の帯域チャンネルにおける前記分割信号から、その分割信号のレベル変化から、前記複数の発光素子を同時に駆動するための同時駆動信号を形成する、
イルミネーション装置駆動方法であって、
前記フィルタ装置は、所定の周波数よりも高い周波数の帯域チャンネルにおいては、前記音楽信号のＬｃｈ信号とＲｃｈ信号を分離した状態で出力し、出力されたＬｃｈ信号とＲｃｈ信号を減算した減算信号から前記個別駆動信号が形成する、
ものとして構成されている。
【発明の効果】
【０００９】
本発明によれば、再生すべき音楽を構成する音楽周波数成分の中から低周波成分を抽出して発光装置を制御するようにしたので、予め曲（音楽）との関係でプログラムしておかなくても、音楽の再生より自動的にその音楽との関係で発光装置を制御することができ、よって、ＣＤ、ＭＤ、有線放送などの音源にも対応可能である。さらに、本発明によれば、音楽をいくつかの周波数帯域に分けて、周波数帯域ごとの全ての帯域において個別の発光素子を確実に動作させることができる。
【発明を実施するための最良の形態】
【００１０】
本発明の実施形態についての図面を参照した説明に先立ち、本発明の原理を含めて本発明の本質について説明する。
【００１１】
本発明者は、例えば、遊技機、カラオケ、音響機器等におけるスピーカにおいて、曲（音楽）を構成する、音階を奏でるメロディーと、ビートを刻むリズムのうちの、リズムにおけるビートに着目した。即ち、ビートを刻む楽器は、ドラムあるいはベースが殆どを占めており、それらからの音の電気信号は１５０Ｈｚ以下であることを独自に知得した。本発明は、この独自の知得に基づいてなされたもので、上記のビートを、音楽の再生中に自動的に、電気的に分析、取得し、その取得した信号によって発光装置を制御するようにしたものである。
【００１２】
さらに、上記のような制御を行った場合、音楽の中には、低音成分が少なく、上記のような分析をしても低音成分が十分には検出されず、上記のような光の点滅や強弱が視覚上効果的には行われないものもあった。つまり、このような状態では、低音の成分が十分でない音楽の場合は、予め設定した色で表現したり又はマイコンなどでプログラムによる色の変化をつけた表現にはできるものの、そのような表現と音楽とは本来は直接的には関係のないものであった。
【００１３】
本発明者は、さらに実験を重ねて、再生音を複数の周波数の帯域（例えば、低音・中音・高音の３つの音域）に分け、それらの音域毎の音で異なる色の発光体を点滅させ、その強弱制御させることに想到した。これにより、上記のように低音が十分でない場合でも、低音成分だけで発光素子を制御する場合に比して、視覚的な効果を高めることができる。
【００１４】
本発明者による実際の各種の音源での実験結果によれば、以下のことが独自に知得できた。つまり、音を高中低の３つの音域に分けた場合の中音域の低い部分（100〜300Hz付近）のレベルが大きいこと、ここから高音寄りの高音域（2800Hzから20000Hz）の電気信号も１／３程度まで低下していることを、本発明者は独自に知得した。このため、このままでは高音に基づく発光素子の上記のような制御は十分に行われないことがわかった。これを回避するには、つまり、この低下分を補うためには、フィルタリングした高音の電気信号の増幅すればよい。しかし、単に増幅するとフィルターの特性上、特性曲線の裾野にある、低いほうに隣り合う本来は中音域にある音の信号まで顕著に出力に現れるのが避けられないのがわかった。これでは、再生音をいくつかの音域にわけて音域毎の信号で異なる色の発光体を点滅、強弱させることの意義が薄れてしまう。
【００１５】
このため、本発明者はさらに各種の実験を行った。例えば、ＣＤなどからの音楽の電気信号の波形を観察し、この結果、高音はLchとRcHの位相がずれていることを独自に知得した。そして、このことから、本発明者は、高音域の信号においては、その信号をLcHとRcHに分けてフィルタリングし、互いに差をとる減算をすれば、本来の高音域成分は除去せずに、混入した中音域成分のみを除去するという信号処理が可能であるという独自の知得に到達した。本発明は、まさにこの本発明者に独自の技術的な知得、理解に基づくことによってなされたものである。本発明では、このような信号処理により得た高音域の信号を使うようにしている。このため、本発明の装置によれば、スピーカからの再生音を、高音域から低音域まで、より効果的に、視覚的なイルミネーションとより一致したものとすることが可能である。
【００１６】
以下、図１を参照しながら、本発明の実施形態について説明する。
【００１７】
本発明の実施形態の装置は、各種の音源からの音楽信号としてのステレオ信号、つまり、Ｌｃｈ信号ＬＳとＲｃｈ信号ＲＳを互いに独立に入力させ、周波数帯域において低中高の３チャンネルの信号に分割し、各チャンネルの信号に対応する３色（ＲＧＢ）のカラーＬＥＤ７Ａ―７Ｃを曲に合わせての点滅制御及びその点灯状態の強弱の制御を可能にしたものである。これらのＬＥＤ７Ａ−７Ｃは、上述のように、例えば、遊技機、カラオケ、音響機器等におけるスピーカとの関係で用いられるものである。
【００１８】
図１に沿ってより詳しくいえば、各チャンネルの信号は検波回路４Ａ−４Ｃから得られて個別駆動信号となり、各チャンネル４Ａ−４Ｃに対応する色のＬＥＤ８Ａ−８Ｃを個別に駆動する。これと共に、波形形成回路５によって、低域のチャンネルにおける検波回路４Ｃからの信号のレベル変化（立ち上がり）をとらえてパルス信号（同時駆動信号）を形成し、この同時駆動信号によってＬＥＤ８Ａ−８Ｃを同時に駆動する。本発明の実施形態では、このように、各チャンネルに対応するＬＥＤ８Ａ−８Ｃを、各チャンネルの信号で個別に駆動すると共に低域チャンネルの信号で同時に駆動するようにしている。
【００１９】
さらに詳しく説明する。
【００２０】
図１の装置は、レベル合わせ用のＬｃｈ、Ｒｃｈ増幅回路１Ａ、１Ｂを有する。これらの増幅回路１Ａ、１Ｂの入力ノード１ａ，１ｂには図２、図３に示すＬｃｈ信号ＬＳ、ＲｃｈＲＳ信号が加えられる。これらのＬｃｈ信号ＬＳ、Ｒｃｈ信号ＲＳは、本装置の説明を行うために低中高３つの音域の信号として１００、１Ｋ、１０ＫＨｚの信号を合成して得た人工的な信号である。図２、図３からはわかりにくいが、低中音域では信号はＬ、Ｒチャンネルが同相であり、高音域の信号はＬ，Ｒチャンネルで位相がずれている信号である。増幅回路１Ａ、１Ｂの出力はノード２ａ，２ｂに得られ、図４、図５に示される。これらの図４、図５からわかるように、この実施形態では、図２、図３の信号を１０倍に増幅している。この出力波形は入力波形と相似形である。これらのノード２ａ，２ｂの信号は次段のフィルタ２Ａ−２Ｄに加えられる。これらのフィルタはハイパスフィルタ２Ａ，２Ｂ、バンドパスフィルタ２Ｃ、ローパスフィルタ２Dを備える。これらのフィルタの帯域幅は例えば図６に示される。このようなフィルタを用いて、先ず高音域側をみると、ノード２ａ，２ｂの信号が、それぞれ、Ｌｃｈ，Ｒｃｈのハイパスフィルタ２Ａ，２Ｂに加えられる。これらのハイパスフィルタ２Ａ，２Ｂからの出力は、ノード３ａ，３ｂに現れ、その波形は、図４、図５の波形を入力させた本実施形態においては図７、図８に示されるものとなる。図７、図８の出力波形は、図４、図５の入力波形に応じて変わってくるのは当然である。
【００２１】
上記ノード３ａ，３ｂの信号は次段の差動回路３に加えられる。この差動回路３は、ノード３ａ，３ｂの差動出力つまり減算出力を得る回路であり、その出力は図９に示される。つまり、差動回路３に加えられる高音域の信号においては、Ｌｃｈ，Ｒｃｈの信号は互いに位相がずれていることから減算によっても相殺されることなく出力されるが、中音域の漏れ信号は同相信号であるため減算によって相殺され、出力されることはない。これにより、ノード４ａの信号は本来の高音域の信号のみとされる。このノード４ａの信号は次段の検波回路４ａに加えられ、ノード５ａに図１０に示す出力信号として得られる。このノード５ａでの出力信号は、後で詳しく述べるように、次段の点灯回路６Ａに加えられる。
【００２２】
一方、中音域におけるバンドパスフィルタ２Ｃには、ノード２ａ，２ｂの信号が共に加えられる。中音域においては、Ｌ、Ｒのチャンネルの信号ＬＳ，ＲＳは互いに同相であり、ノード２ａ、２ｂの２つの信号の合成信号に基づいて、ノード３ｃに図１１に示す信号が得られる。このノード３ｃの信号は次段の検波回路４Ｂに加えられ、検波されて、ノード４ｂに図１２に示す出力が得られる。このノード４ｂの出力信号は、後で詳しく述べるように、次段の点灯回路６Ｂに加えられる。
【００２３】
また、低音域としてのバンドパスフィルタ２Ｄにも、中音域と同様に、ノード２ａ，２ｂの信号が共に加えられる。低音域においても、Ｌ、Ｒのチャンネルの信号ＬＳ，ＲＳは互いに同相であり、ノード２ａ、２ｂの２つの信号の合成信号に基づいて、ノード３ｄに図１３に示す信号が得られる。このノード３ｄの信号は次段の検波回路４Ｃに加えられ、検波されて、ノード４ｃに図１４に示す出力が得られる。このノード４ｃの出力信号は、後で詳しく述べるように、次段の点灯回路６Ｃに加えられる。
【００２４】
さらに、検波回路４Ｃの出力は、波形形成回路５に加えられる。この波形形成回路５は、上述のようにいわゆるビートを刻む楽器等からの低い周波数の音の電気信号を分析、抽出するためのものである。つまり、低音の立ち上がりを利用して電気振動を出すという回路とも言える。この波形形成回路５は、ノード４ｃにパラに接続された第１回路５Ａと第２回路５Ｂと、それらの出力の差動出力を得る第３回路５Ｃを備える。つまり、第１及び第２回路５Ａ，５Ｂは、ＲＣ等から構成される充放電回路であり、第１、第２回路５Ａ、５Ｂは図１５（Ａ）、（Ｂ）の出力波形が得られるように構成された回路である。つまり、第１回路５Ａは、時刻ｔ１で、検波回路４Ｃからの出力を受けてそれを時刻ｔ２まで維持し、その後に放電により電圧を低下させる回路として構成されている。また、第２回路５Ｂは、時刻ｔ１で、検波回路４Ｃからの出力を受けてそれを時刻ｔ２まで充電することにより電圧を上昇させ、その後に放電により電圧を低下させる回路として構成されている。これらの第１、第２回路５Ａ，５Ｂの出力は次段のパルス出力回路５Ｃに加えられる。このパルス出力回路５Ｃは、第１、第２回路５Ａ，５Ｂの出力に基づいて、つまり、第１回路５Ａの出力がハイのときに、第２回路５Ｂからの出力の立ち上がりによって、図１６に示すように、一定幅のパルスを出力する回路として構成されている。この出力はノード５ｄに出力される。この出力は、上述の点灯回路６Ａ−６Ｃに加えられる。
【００２５】
即ち、上述の点灯回路６Ａ−６Ｃは、それぞれ、増幅回路６Ａ１−６Ｃ１を有し、それらの出力ノード６ａ−６ｃは次段の出力トランジスタ７Ａ−７Ｃの制御端子に接続されている。これらの出力トランジスタ７Ａ−７ＣのコレクタにはそれぞれＢＧＲのＬＥＤ８Ａ−８Ｃのカソードが接続され、これらのＬＥＤ８Ａ−８Ｃのアノードには高圧側電源が接続されている。なお、出力トランジスタ７Ａ−７Ｃのエミッタは抵抗を介して低圧側電源に接続されている。これにより、高中低音域の信号が検出されると、これらの信号で各ＬＥＤ８Ａ−８Ｃは点灯し、点灯の強さはそれらの信号の大きさに対応するこことになる。これらのＬＥＤ８Ａ−８Ｃは、図示はしていないが、例えば、遊技機、カラオケ、音響機器等におけるスピーカに対して任意の位置に取り付けることができる。
【００２６】
これと共に、前記波形形成回路５からの出力は、点灯回路６Ａ−６Ｃつまり出力トランジスタ７Ａ−７Ｃの制御端子に直接加えられている。このため、上記した検波回路４Ａ−４Ｃからの高中低の音域の信号とは無関係に、この波形形成回路５からの出力が出力されると、前記ＬＥＤ８Ａ−８Ｃが、いわゆるビートに合わせてその強度に応じて点滅することになる。
【００２７】
このように、総合的な点滅の状態は、各検波回路からの電気信号の大きさに合ったものとなる。また、低音のみは、低音の立ち上がりを利用して電気振動を出す波形形成を経て、各色（赤、緑、青）を同時に点滅させ白色を作る。結果として、音楽の高音・中音・低音の様子を点滅のイメージで音楽のビートに合わせてフラッシングさせ、視聴者によりあったＲＧＢのＬＥＤの点滅と強度制御が可能となる。
【００２８】
なお、上記の実施形態では、音のチャンネル分割を３帯域としたが、この数に限るものではなく、４あるいはそれ以上とすることもできる。また、ＬＥＤとしてＲＧＢの３色のものを用いて同時点灯時には白色光となるようにしたが、ＬＥＤもこれに限るものではなく、任意の色のＬＥＤを用いることもできる。
【図面の簡単な説明】
【００２９】
【図１】本発明の一実施形態の全体回路図。
【図２】図１のノード１ａでの信号波形。
【図３】図１のノード１ｂでの信号波形。
【図４】図１のノード２ａでの信号波形。
【図５】図１のノード２ｂでの信号波形。
【図６】図１の各フィルタの特性図
【図７】図１のノード３ａでの信号波形。
【図８】図１のノード３ｂでの信号波形。
【図９】図１のノード４ａでの信号波形。
【図１０】図１のノード５ａでの信号波形。
【図１１】図１のノード３ｃでの信号波形。
【図１２】図１のノード４ｂでの信号波形。
【図１３】図１のノード３ｄでの信号波形。
【図１４】図１のノード４ｃでの信号波形。
【図１５】図１のノード５ｂ、５ｃでの信号波形。
【図１６】図１のノード５ｄでの信号波形。
【図１７】従来例の全体回路図。
【符号の説明】
【００３０】
ＬＳ  Ｌｃｈ信号
ＲＳ  Ｒｃｈ信号
１Ａ  Ｌｃｈ増幅回路
１Ｂ  Ｒｃｈ増幅回路
２Ａ，２Ｂ  ハイパスフィルタ
２Ｃ  バンドパスフィルタ
２Ｄ  ローパスフィルタ
３    差動回路
４Ａ−４Ｃ  検波回路
５  波形形成回路
６Ａ−６Ｃ  点灯回路
７Ａ−７Ｃ  出力トランジスタ
８Ａ−８Ｃ  ＬＥＤ
【図１】
2007086365.tif 000003
【図２】
2007086365.tif 000004
【図３】
2007086365.tif 000005
【図４】
2007086365.tif 000006
【図５】
2007086365.tif 000007
【図６】
2007086365.tif 000008
【図７】
2007086365.tif 000009
【図８】
2007086365.tif 000010
【図９】
2007086365.tif 000011
【図１０】
2007086365.tif 000012
【図１１】
2007086365.tif 000013
【図１２】
2007086365.tif 000014
【図１３】
2007086365.tif 000015
【図１４】
2007086365.tif 000016
【図１５】
2007086365.tif 000017
【図１６】
2007086365.tif 000018
【図１７】
2007086365.tif 000019
【手続補正書】
【提出日】平成17年10月13日(2005.10.13)
【手続補正１】
【補正対象書類名】図面
【補正対象項目名】全図
【補正方法】変更
【補正の内容】
【図１】
2007086365.tif 000020
【図２】
2007086365.tif 000021
【図３】
2007086365.tif 000022
【図４】
2007086365.tif 000023
【図５】
2007086365.tif 000024
【図６】
2007086365.tif 000025
【図７】
2007086365.tif 000026
【図８】
2007086365.tif 000027
【図９】
2007086365.tif 000028
【図１０】
2007086365.tif 000029
【図１１】
2007086365.tif 000030
【図１２】
2007086365.tif 000031
【図１３】
2007086365.tif 000032
【図１４】
2007086365.tif 000033
【図１５】
2007086365.tif 000034
【図１６】
2007086365.tif 000035
【図１７】
2007086365.tif 000036